【手続補正書】
【提出日】平成25年8月26日(2013.8.26)
【手続補正１】
【補正対象書類名】明細書
【補正対象項目名】発明の名称
【補正方法】変更
【補正の内容】
【発明の名称】画像受信装置、画像受信方法、画像伝送装置及び画像伝送方法
【手続補正２】
【補正対象書類名】特許請求の範囲
【補正対象項目名】全文
【補正方法】変更
【補正の内容】
【特許請求の範囲】
【請求項１】
圧縮された画像データを受信する画像受信装置において、
圧縮された画像データとエラー訂正符号を受信する入力部と、
前記圧縮された画像データからエラー訂正符号を演算するエラー検出符号演算部と、
受信したエラー訂正符号と前記エラー検出符号演算部の出力を比較しエラーを検出した後補正するエラー検出部と、
前記エラー検出符号演算部から出力される圧縮された画像データを伸張する伸張部と、
前記伸張部にて伸張された画像データを出力する出力部と、
前記入力部と、前記エラー検出符号演算部と、前記エラー検出部と、前記伸張部と、前記出力部を制御する制御部とを備え、
前記入力部に入力されるデータは、
所定時間当たりのデータ伝送量が第１のデータ伝送量である第１の期間と、
所定時間当たりのデータ伝送量が第１のデータ伝送量より少ない第２の期間とが切替て入力され、
前記第１の期間には前記圧縮された画像データが入力され、
前記第２の期間には前記エラー訂正符号が入力され、
前記制御部は、前記エラー検出部の出力を前記伸張部により伸張して出力するように制御することを特徴とした画像受信装置。
【請求項２】
請求項１に記載の画像受信装置において、
エラー訂正符号が入力部に入力される前記第２の期間は、水平ブランキング期間であることを特徴とした画像受信装置。
【請求項３】
請求項２に記載の画像受信装置において、
伸張部は、圧縮方式を示す符号を検出する検出部と、水平方向に伸張処理を行う水平伸張部と、垂直方向に伸張処理を行う垂直伸張部と、
前記水平伸張部の出力と前記垂直伸張部の出力とのどちらか一方を出力する選択部とを備え、
前記検出部の出力に従い選択部の出力を制御することを特徴とした画像受信装置。
【請求項４】
圧縮された画像データを受信する画像受信方法において、
圧縮された画像データとエラー訂正符号を、
所定時間当たりのデータ伝送量が第１のデータ伝送量である第１の期間と、
所定時間当たりのデータ伝送量が第１のデータ伝送量より少ない第２の期間とを切替て入力し、
前記第1の期間に前記圧縮された画像データが入力され、前記第２の期間に前記エラー訂正符号が入力され、
前記圧縮された画像データからエラー訂正符号を演算し、
受信したエラー訂正符号と前記演算したエラー訂正符号を比較しエラー検出をし、
前記エラー検出した圧縮された画像データを伸張し、
前記伸張した画像データを出力する際には、
前記エラー検出の出力によりエラー訂正を行い、前記エラー訂正を行った圧縮された画像データを伸張して出力するように制御すること特徴とした画像受信方法。
【請求項５】
請求項４に記載の画像受信方法において、
前記エラー訂正符号を入力する前記第２の期間は、水平ブランキング期間であることを特徴とした画像受信方法。
【請求項６】
請求項４に記載の画像受信方法において、
圧縮された画像データと
前記第２の期間のデータに対しての第１のエラー訂正符号と前記圧縮された画像データに対しての第２のエラー訂正符号とを、所定時間当たりのデータ伝送量が第１のデータ伝送量である第１の期間と、所定時間当たりのデータ伝送量が第１のデータ伝送量より少ない第２の期間とを切替て入力し、
前記第1の期間に前記圧縮された画像データが入力され、
前記第２の期間に前記第１および第２のエラー訂正符号が入力され、
前記圧縮された画像データからエラー訂正符号を演算し、
受信した第２のエラー訂正符号と前記演算したエラー訂正符号を比較しエラー検出をし、
前記エラー検出した圧縮された画像データを伸張し、
前記伸張した画像データを出力する際には、
前記エラー検出の出力によりエラー訂正を行い、前記エラー訂正を行った圧縮された画像データを伸張して出力するように制御すること特徴とした画像受信方法。
【請求項７】
請求項４に記載の画像受信方法において、
前記伸張処理は２つ以上の伸張方式を有し、
第１の伸張処理は水平方向に伸張処理を行う水平伸張処理であり、第２の伸張処理は垂直方向に伸張処理を行う垂直伸張処理であり、水平ブランキング期間に入力された圧縮方式を示す符号を検出し、前記圧縮方式を示す符号により、前記水平伸張処理と前記垂直伸張処理のどちらか一方を出力するように制御することを特徴とした画像受信方法。
【請求項８】
画像データを圧縮し伝送する画像伝送装置において、
画像データを圧縮する圧縮処理部と、
圧縮された画像データに対しエラー訂正符号を演算するエラー訂正符号生成部と、
所定時間当たりのデータ伝送量が第１のデータ伝送量である第１の期間と、
所定時間当たりのデータ伝送量が第１のデータ伝送量より少ない第２の期間とを切替て
出力する出力部と、
前記圧縮処理部と、前記エラー訂正符号生成部と、前記出力部を制御する制御部とを備
え、
前記制御部は、前記圧縮処理部で圧縮された画像データを前記第１の期間に前記出力部
から出力し、
前記圧縮処理部で前記圧縮された画像データに対し、前記エラー訂正符号生成部にて演
算したエラー訂正符号を前記第２の期間に前記出力部から出力することを特徴とする画像
伝送装置。
【請求項９】
請求項８に記載の画像伝送装置において、
前記エラー訂正符号生成部にて演算したエラー訂正符号を出力する前記第２の期間は、水
平ブランキング期間であることを特徴とした画像伝送装置。
【請求項１０】
請求項８に記載の画像伝送装置において、
圧縮部は、画像データの水平および垂直方向の相関性を検出する検出部と、水平方向に
圧縮処理を行う水平圧縮部と、垂直方向に圧縮処理を行う垂直圧縮部と、
前記水平圧縮部の出力と前記垂直圧縮部の出力とのどちらか一方と圧縮方式を示す符号
を出力する選択部とを備え、
前記検出部の出力に従い選択部の出力を制御することを特徴とした画像伝送装置。
【請求項１１】
画像データを圧縮し伝送する画像伝送方法において、
画像データを圧縮し、圧縮された画像データのエラー訂正符号を演算し、
所定時間当たりのデータ伝送量が第１のデータ伝送量である第１の期間と、
所定時間当たりのデータ伝送量が第１のデータ伝送量より少ない第２の期間とを切替て
出力し、
前記圧縮された画像データを前記第１の期間に出力し、
前記圧縮された画像データに対するエラー訂正符号を前記第２の期間に出力することを
特徴とする画像伝送方法。
【請求項１２】
請求項１１に記載の画像伝送方法において、
前記エラー訂正符号を出力する前記第２の期間は、水平ブランキング期間であることを
特徴とした画像伝送方法。
【請求項１３】
請求項１１に記載の画像伝送方法において、
前記第２の期間のデータに対し第１のエラー訂正符号を演算し、
画像データを圧縮し、圧縮された画像データに対し第２のエラー訂正符号を演算し、
所定時間当たりのデータ伝送量が第１のデータ伝送量である第１の期間と、
所定時間当たりのデータ伝送量が第１のデータ伝送量より少ない第２の期間とを切替て
出力し、
前記圧縮された画像データを前記第１の期間に出力し、
前記第１および第２のエラー訂正符号を前記第２の期間に出力することを特徴とする画
像伝送方法。
【請求項１４】
請求項１１に記載の画像伝送方法において、
圧縮処理は、２つ以上の圧縮方式を有し、第１の圧縮処理は、水平方向に圧縮処理を行
う水平圧縮処理であり、第２の圧縮処理は、垂直方向に圧縮処理を行う垂直圧縮処理であ
り、圧縮する画像データが、水平および垂直のどちらの方向に相関性が高い画像データで
あるかを検出し、前記相関性検出の出力により水平方向の圧縮処理と、垂直方向の圧縮処
理のどちらか一方を選択するとともにどの圧縮方式で圧縮されたかを示すための信号を水
平ブランキング期間に出力することを特徴とした画像伝送方法。